(57)【要約】【課題】パン原料温度の上昇を抑えるとともに、装置の小型化を実現する自動製パン器を提供する。【解決手段】本発明の自動製パン器１は、パン原料が投入されるパン容器（図示せず）と、前記パン容器が収容される焼成室３０（図示せず）と、前記焼成室３０に通じる第１のダクト１００と、前記焼成室３０の下側に設けられ空気の流れを作るファン１０６（図示せず）と、前記焼成室３０の下側に設けられた第２のダクト１０３と、前記第２のダクト１０３の外郭側の口と対向する本体外郭に設けられた第２の通気孔１０８を備えたことをと特徴としている。【選択図】図１０
2014083219.tif 000002
【特許請求の範囲】
【請求項１】
パン原料が投入されるパン容器と、  前記パン容器が収容される焼成室と、
前記パン容器内に設けられ、モータにより駆動されるパン原料をパン生地に練り上げる混練ブレードと、前記焼成室に設けられる通気孔と、ファンと、前記通気孔からファンまでの空気の流れを作るダクトと、を備え、
前記ファンが前記焼成室より低い位置に設けられていることを特徴とする自動製パン器。
【請求項２】
前記ファンは前記焼成室の下側に設けられていることを特徴とする請求項１に記載の自動製パン器。
【請求項３】
前記ファンと本体外郭に設けられた第２の通気孔を接続する第２のダクトを備えたことを特徴とする請求項１または２に記載の自動製パン器。
【請求項４】
前記第２のダクトは前記焼成室の下側に配置され、前記第２の通気孔は本体の背面に備えられていることを特徴とする請求項３に記載の自動製パン器。
【請求項５】
前記ファンがシロッコファンである請求項１から４のいずれか１項に記載の自動製パン器。
【発明の詳細な説明】
【技術分野】
【０００１】
本発明は、主として一般家庭で使用される自動製パン器に関する。
【背景技術】
【０００２】
市販の家庭用自動製パン器は、小麦や米などの穀物を製粉した粉（小麦粉、米粉等）や、そのような製粉した粉に各種の補助原料を混ぜたミックス粉を製パン原料とし、製パン原料を入れたパン容器を本体内の焼成室に入れ、パン容器内のパン原料を混練ブレードで混練して練り上げ（練り工程）、発酵工程を経た後に、パン容器をそのままパン焼き型としてパンを焼き上げる（焼成工程）仕組みのものが一般的である。（例えば、特許文献１参照）。
【０００３】
近年、米粒などの穀物粒から直接パンを製造する自動製パン器が普及してきている。この種の自動製パン器としては、例えば、特許文献２（特開２０１１−１７２７２３号公報）に開示されたものがある。
【０００４】
この種の自動製パン器では穀物粒の粉砕を行なう（粉砕工程）場合に、ベアリング等で発生する摩擦熱や粉砕ブレードと穀物粒との間の摩擦熱が原因となって、パン容器内のパン原料の温度が上昇しやすく、冷却装置を設ける必要があった。
【０００５】
以下、図面を参照しながら上記従来の自動製パン器を説明する。
【０００６】
図１４は、従来の自動製パン器の冷却機構の構成を説明するための図である。側面側から見た場合の概略断面図であり、焼成室にパン容器が収容されていない場合の状態を示している。図１４においては、図の左側が自動製パン器の正面側に該当し、図の右側が自動製パン器の背面側に該当する。図１４に示すように、従来の自動製パン器は、焼成室、通気孔、機器本体に設けられたスリット部、ダクト、ファンを備えている。
【０００７】
以上のように構成された自動製パン器について、以下その動作を説明する。
【０００８】
ファン（例えば軸流ファン）が駆動すると、通気孔及びダクトを介して焼成室内の空気がスリット部から機器本体外部へと排出されるようになっている。すなわち、ファンの駆動によって、焼成室にはその外部から空気（焼成室内より冷たい空気）が取り込まれると共に、焼成室内の空気（摩擦熱によって温められた空気）が機器本体外部へと排出される空気の流れが作られ、焼成室内は冷却されるようになっている。
【先行技術文献】
【特許文献】
【０００９】
【特許文献１】特開２０００−１１６５２６号公報
【特許文献２】特開２０００−１７２７２３号公報
【発明の概要】
【発明が解決しようとする課題】
【００１０】
しかしながら、上記従来の自動製パン器は、焼成工程で高温になる焼成室から離れた位置にファンを設けたため、ダクトの距離が長くなるため、本体が大きくなり、運搬や取り扱いが不便であるという課題を有していた。
【００１１】
本発明は上記従来の課題を解決するものであり、冷却装置を設けても本体が大きくならず、使いやすい自動製パン器を提供することを目的とする。
【課題を解決するための手段】
【００１２】
上記課題を解決するために、請求項１に記載の発明は、パン原料が投入されるパン容器と、  前記パン容器が収容される焼成室と、前記パン容器内に設けられ、モータにより駆動されるパン原料をパン生地に練り上げる混練ブレードと、前記焼成室に設けられる通気孔と、ファンと、前記通気孔からファンまでの空気の流れを作るダクトと、を備え、前記ファンが前記焼成室より低い位置に設けられていることを特徴とする。
【００１３】
請求項２に記載の発明は、請求項１に記載の自動製パン器であり、前記ファンは前記焼成室の下側に設けられていることを特徴とする。
【００１４】
請求項３に記載の発明は、請求項１又は２に記載の自動製パン器であり、前記ファンと本体外郭に設けられた第２の通気孔を接続する第２のダクトを備えたことを特徴とする。
【００１５】
請求項４に記載の発明は、請求項３に記載の自動製パン器であり、前記第２のダクトは前記焼成室の下側に配置され、前記第２の通気孔は本体の背面に備えられていることを特徴とする。
【００１６】
請求項５に記載の発明は、請求項１から４のいずれか１項に記載の自動製パン器であり、前記ファンがシロッコファンであることを特徴とする。
【発明の効果】
【００１７】
本発明の自動製パン器は、ファンを焼成室より下に配置することで、ダクトの距離を長くなることなく、本体を小さくすることができる。
【００１８】
又、請求項１に記載の発明によると、焼成室に設けられる通気孔と、ファンと、通気孔からファンまでの空気の流れを作るダクトと、を備え、ファンが焼成室より低い位置に設けられているため、焼成室内の空気をダクトにより焼成室より低い位置にあるファンまで送り込むことが可能であると共に、ダクトが本体外方向に距離が長くなることなく、本体を小さくすることができる。
【００１９】
請求項２に記載の発明によると、ファンは焼成室の下側に設けられているため、ダクトの距離を長くなることなく、本体を小さくすることができる。
【００２０】
請求項３に記載の発明によると、ファンと本体外郭に設けられた第２の通気孔を接続する第２のダクトを備えているため、ファンにより焼成室から取り込んだ空気を、第２のダクトにより効率よく外部へ排出することが可能である。
【００２１】
請求項４に記載の発明によると、第２のダクトは焼成室の下側に配置され、第２の通気孔は本体の背面に備えられているため、筐体内部の空間を有効活用することが可能であり、筐体が巨大化することを回避することが可能となる。
【００２２】
請求項５に記載の発明によると、シロッコファンを用いているため、ファンを立て向きに配置することが可能となり、限りある空間を有効活用することが可能である。
【図面の簡単な説明】
【００２３】
【図１】本発明を適用してなる実施例装置である自動製パン器の斜視図である。
【図２】図１の自動製パン器の蓋体を開けた状態を示す斜視図である。
【図３】図１の自動製パン器の断面図である。
【図４】図１の自動製パン器のインバータモータに関連する部品の構成を示す断面図である。
【図５】図１の自動製パン器が備える羽根ユニットの斜視図である。
【図６】図４のインバータモータの出力軸が正方向に回転したときに同様に正方向に回転する部品を示す断面図である。
【図７】図４のインバータモータの出力軸が逆方向に回転したときに同様に逆方向に回転する部品を示す断面図である。
【図８】本発明の実施例にかかる自動製パン器によって実行される米粒用製パンコースの流れを示す模式図である。
【図９】図８の米粒用製パンコースの練り工程における、好ましい練り羽根の回転数の変化を示すグラフである。
【図１０】図１の自動製パン器のダクトに関連する部分の構成を示す部分断面図である。
【図１１】図１０から第１の外側ダクトを取り除いた図である。
【図１２】図１１から第１の内側ダクトを取り除いた図である。
【図１３】図１の自動製パン器の背面図である。
【図１４】従来の自動製パン器の冷却機構の構成を説明するための図である。
【発明を実施するための形態】
【００２４】
以下、図面を参照して本発明の最良の実施形態を説明する。なお、この実施の形態によって、本発明が限定されるものではない。また従来例または先に説明した実施の形態と同一構成については、同一符号を付して、その詳細な説明は省略する。
【実施例】
【００２５】
以下、本発明の実施形態について、図面を参照しながら説明する。
【００２６】
本発明の実施例にかかる自動製パン器の全体構成について説明する。図１は、本実施例にかかる自動製パン器の斜視図であり、図２は、当該自動製パン器の蓋体を開けた状態を示す斜視図である。図３は、本実施例にかかる自動製パン器の断面図である。図４は、本実施例にかかる自動製パン器の一部拡大断面図である。
【００２７】
図１〜３において、本実施例にかかる自動製パン器１は、略直方体形状の機器本体１０を備えている。機器本体１０の上面の一部には、操作部２０が設けられている。
【００２８】
操作部２０は、操作キー群と、表示部とによって構成されている。操作キー群には、例えば、スタートキー、取り消しキー、タイマーキー、予約キー、パンの調理コースなどを選択する選択キー等が含まれる。調理コースには、例えば、米粒を出発原料に用いてパンを製造するコース、米粉を出発原料に用いてパンを製造するコース、小麦粉を出発原料に用いてパンを製造するコースなどが含まれる。表示部は、例えば、液晶表示パネル等によって構成され、時間、操作キー群によって設定された内容、エラー等を表示するものである。
【００２９】
機器本体１０の内部には、焼成室３０が設けられている。焼成室３０は、上面が開口した箱形状に形成されている。焼成室３０の内部には、パン生地、ケーキ、餅などの調理材料を収容する調理容器４０が着脱自在に収納される。
【００３０】
また、焼成室３０の内部には、図３に示すように、調理容器４０を加熱する加熱部の一例であるシーズヒータ３１と、焼成室３０内の温度を検知する温度検知部の一例である温度センサ３２とが設けられている。
【００３１】
シーズヒータ３１は、焼成室３０に収容された調理容器４０の下部を、隙間を空けて包囲するように配置されている。温度センサ３２は、焼成室３０内の平均的な温度を検知することができるように、シーズヒータ３１から少し離れた位置に配置されている。
【００３２】
焼成室３０の上面開口部は、機器本体１０の上部に設けられた蓋５０によって開閉される。蓋５０は、機器本体１０の上方後部（図３の右上側）に設けられたヒンジ部１０Ａに回動自在に取り付けられている。蓋５０は、蓋本体５１と、外蓋５２とを備えている。蓋本体５１には、グルテンやドライイーストなどの粉状の副材料を収容する副材料容器５３と、レーズン、ナッツなどの比較的体積の大きな副材料を収容する副材料容器５４とが取り付けられている。副材料容器５３，５４は、調理容器４０の上方に配置されている。外蓋５２は、副材料容器５３，５４の上部開口部を開閉可能に取り付けられている。
【００３３】
副材料容器５３の底壁は、開閉板５３ａで構成されている。開閉板５３ａは、副材料容器５３内の副材料を調理容器４０内に投入することができるように回動可能に構成されている。同様に、副材料容器５４の底壁は、開閉板５４ａで構成されている。開閉板５４ａは、副材料容器５４内の副材料を調理容器４０内に投入することができるように回動可能に構成されている。開閉板５３ａ，５４ａの開閉のタイミングは、後述する制御部９０により制御される。
【００３４】
また、焼成室３０の底壁３０ａの略中心部には、調理容器支持部１１が設けられている。調理容器支持部１１は、図４に示すように、略筒状に形成され、焼成室３０の底壁３０ａから下方に離れるに従って、内径が段階的に小さくなるように形成されている。調理容器支持部１１の外周面の下端部には、ベアリング１２を介して第１のプーリ６１が設けられている。
【００３５】
調理容器支持部１１の下部の中心穴には、略円筒形の第３のワンウェイクラッチ１３が設けられている。第３のワンウェイクラッチ１３の内側には、略円筒形の本体側練り軸１６Ａが垂直方向に延在するように設けられている。第３のワンウェイクラッチ１３は、本体側練り軸１６Ａの正方向（例えば、時計回り）の回転を許容する一方、本体側練り軸１６Ａの逆方向（例えば、反時計回り）の回転を規制するように構成されている。
【００３６】
本体側練り軸１６Ａの外周下部には、第２のワンウェイクラッチ１５が設けられている。第２のワンウェイクラッチ１５は、第１のプーリ６１と係合するように設けられている。第２のワンウェイクラッチ１５は、第１のプーリ６１が正方向に回転するとき、本体側練り軸１６Ａを正方向に回転させる一方、第１のプーリ６１が逆方向に回転するとき、本体側練り軸１６Ａが逆方向に回転しないように本体側練り軸１６Ａの回転を規制するように構成されている。
【００３７】
本体側練り軸１６Ａの内部には、略円柱状の本体側ミル軸１４Ａが垂直方向に延在するように設けられている。本体側ミル軸１４Ａは、本体側練り軸１６Ａに対して相対回転可能に設けられている。本体側ミル軸１４Ａの下端部には、第２のプーリ６２が固定されている。
【００３８】
また、焼成室３０の外側であって機器本体１０の内部には、モータの一例であるインバータモータ７０が設けられている。インバータモータ７０は、出力軸７１の単位時間当たりの回転数及び回転方向（正方向、逆方向）を自在に変更することができるモータである。
【００３９】
インバータモータ７０の出力軸７１の外周上部には、第３のプーリ６３が固定されている。第３のプーリ６３と第１のプーリ６１には、第１のベルト６５が架け回されている。インバータモータ７０が駆動されて出力軸７１が回転するとき、当該出力軸７１の回転力は、第３のプーリ６３、第１のベルト６５を介して第１のプーリ６１に伝達される。
【００４０】
また、インバータモータ７０の出力軸７１の外周下部には、ベアリング６７を介して第４のプーリ６４が設けられている。第４のプーリ６４と第２のプーリ６２には、第２のベルト６６が架け回されている。
【００４１】
また、インバータモータ７０の出力軸７１の外周面において第３のプーリ６３と第４のプーリ６４との間には、第１のワンウェイクラッチ６８が設けられている。第１のワンウェイクラッチ６８は、出力軸７１が逆方向に回転するとき、第４のプーリ６４を逆方向に回転させる一方、出力軸７１が正方向に回転するとき、第４のプーリ６４が正方向に回転しないように第４のプーリ６４の回転を規制する。
【００４２】
また、本体側ミル軸１４Ａの上端部には、本体側コネクタ１７Ａが固定されている。本体側コネクタ１７Ａは、略円柱形の容器側ミル軸１４Ｂの下端部に固定された容器側コネクタ１７Ｂと係合可能に構成されている。本体側コネクタ１７Ａと容器側コネクタ１７Ｂとが係合した状態で、本体側ミル軸１４Ａが回転したとき、容器側ミル軸１４Ｂが回転する。
【００４３】
また、本体側練り軸１６Ａの上端部には、係合片１６Ａａが設けられている。係合片１６Ａａは、略円筒形の容器側練り軸１６Ｂの下端部に固定された係合片１６Ｂａと係合可能に構成されている。本体側練り軸１６Ａが回転するとき、係合片１６Ａａが係合片１６Ｂａに係合し、容器側練り軸１６Ｂが回転する。
【００４４】
容器側ミル軸１４Ｂは、容器側練り軸１６Ｂの内側に円筒形の軸受け１８を介して設けられている。容器側ミル軸１４Ｂと容器側練り軸１６Ｂとは、調理容器４０が焼成室３０内にセットされたとき、調理容器４０の底部の中心部に設けられた貫通穴を通じて調理容器４０内に突出するように設けられている。
【００４５】
調理容器４０の底部には、図３に示すように、有底筒状の凹部４１が形成されている。また、調理容器４０の底部外面には、容器側練り軸１６Ｂを取り囲むように筒状の台座４２が設けられている。調理容器４０は、台座４２が調理容器支持部１１に載置され、本体側コネクタ１７Ａと容器側コネクタ１７Ｂとが係合されることで焼成室３０内にセットされる。一方、調理容器４０は、本体側コネクタ１７Ａと容器側コネクタ１７Ｂとの係合が外されることで、焼成室３０内から取り外すことができる。なお、台座４２は、調理容器４０とは別に形成してもよいし、調理容器４０と一体的に形成してもよい。
【００４６】
容器側ミル軸１４Ｂ及び容器側練り軸１６Ｂの調理容器４０の内部に突出する部分には、羽根ユニット８０が着脱自在に取り付けられている。
【００４７】
羽根ユニット８０は、キャップ８１と、ミル羽根８２と、ドーム状カバー８３と、練り羽根８４と、セーフティカバー８５とを備えている。
【００４８】
キャップ８１は、容器側ミル軸１４Ｂの先端部に着脱自在に設けられている。ミル羽根８２は、キャップ８１の外周面から外方に突出するように設けられている。ミル羽根８２は、米粒などの穀物粒を粉砕して製パン原料を製造するための羽根である。調理容器４０が焼成室３０内にセットされるとともにキャップ８１が容器側ミル軸１４Ｂに取り付けられた状態において、ミル羽根８２は、概ね調理容器４０の凹部４１内に位置するように設けられている。
【００４９】
ドーム状カバー８３は、ミル羽根８２を上方から覆うように形成されている。ドーム状カバー８３には、図５に示すように、ドーム状カバー８３の内側の空間とドーム状カバー８３の外側の空間とを連通する複数の窓部８３ａが設けられている。ミル羽根８２の回転により製造された製パン原料は、複数の窓部８３ａを通じてドーム状カバー８３の内側の空間とドーム状カバー８３の外側の空間に排出される。
【００５０】
練り羽根８４は、ドーム状カバー８３の外面に垂直方向に立設するように設けられている。練り羽根８４は、調理容器４０内の製パン原料を混練してパン生地を製造するための羽根である。
【００５１】
セーフティカバー８５は、ドーム状カバー８３の下端部に取り付けられ、ミル羽根８２を下方から覆うように形成されている。また、セーフティカバー８５は、その一部が容器側練り軸１６Ｂの内面に嵌合するように、容器側練り軸１６Ｂに取り付けられている。容器側練り軸１６Ｂが回転するとき、セーフティカバー８５、ドーム状カバー８３、及び練り羽根８４が一体的に回転する。調理容器４０が焼成室３０内にセットされるとともにセーフティカバー８５が容器側練り軸１６Ｂに取り付けられた状態において、ミル羽根８２は、概ね調理容器４０の凹部４１よりも上方に位置するように設けられている。また、セーフティカバー８５には、調理容器４０内に入れられた米粒や水などの材料をドーム状カバー８３内に取り込むための開口部（図示せず）が設けられている。
【００５２】
また、機器本体１０の操作部２０の下方には、各部の駆動を制御する制御部９０が設けられている。制御部９０には、複数の調理コースに対応する調理シーケンスが記憶されている。調理シーケンスとは、浸水、ミル、冷却、練り、発酵、焼成などの各製造工程を順に行うにあたって、各製造工程においてシーズヒータ３１の通電時間、温調温度、インバータモータ７０の回転方向、回転速度、開閉板５３ａ，５４ａの開閉のタイミングなどが予め決められている調理の手順のプログラムをいう。制御部９０は、操作部２０にて選択された特定の調理コースに対応する調理シーケンスと温度センサ３２の検知温度に基づいて、インバータモータ７０、シーズヒータ３１、開閉板５３ａ，５４ａの駆動を制御する。
【００５３】
次に、図６を用いて、インバータモータ７０の出力軸７１が正方向に回転されたときの動作について説明する。図６は、インバータモータ７０に関連する部品の構成を示す断面図である。図６において、斜線部は、正方向に回転する部品を示している。
【００５４】
図６に示すように、インバータモータ７０の出力軸７１が正方向に回転されたとき、当該出力軸７１の回転力が、第３のプーリ６３及び第１のワンウェイクラッチ６８に伝達され、これらの部品が正方向に回転する。
【００５５】
第３のプーリ６３の回転力は、第１のベルト６５、第１のプーリ６１、第２のワンウェイクラッチ１５に伝達され、これらの部品が正方向に回転する。第２のワンウェイクラッチ１５は、第１のプーリ６１が正方向に回転するので、本体側練り軸１６Ａを正方向に回転させる。このとき、第３のワンウェイクラッチ１３は、本体側練り軸１６Ａの正方向の回転を許容する。本体側練り軸１６Ａの回転力は、容器側練り軸１６Ｂ、セーフティカバー８５、ドーム状カバー８３、及び練り羽根８４に伝達され、これらの部品が正方向に回転する。
【００５６】
一方、第１のワンウェイクラッチ６８は、出力軸７１が正方向に回転するので、第４のプーリ６４が正方向に回転しないように第４のプーリ６４の回転を規制する。
【００５７】
すなわち、インバータモータ７０の出力軸７１が正方向に回転されたときは、練り羽根８４が正方向に回転する一方で、ミル羽根８２は回転しないようになっている。
【００５８】
次に、図７を用いて、インバータモータ７０の出力軸７１が逆方向に回転されたときの動作について説明する。図７は、インバータモータ７０に関連する部品の構成を示す断面図である。図７において、斜線部は、逆方向に回転する部品を示している。
【００５９】
図７に示すように、インバータモータ７０の出力軸７１が逆方向に回転されたとき、当該出力軸７１の回転力が、第３のプーリ６３及び第１のワンウェイクラッチ６８に伝達され、これらの部品が逆方向に回転する。
【００６０】
第３のプーリ６３の回転力は、第１のベルト６５、第１のプーリ６１、第２のワンウェイクラッチ１５に伝達され、これらの部品が逆方向に回転する。第２のワンウェイクラッチ１５は、第１のプーリ６１が逆方向に回転するので、本体側練り軸１６Ａが逆方向に回転しないように本体側練り軸１６Ａの回転を規制する。
【００６１】
一方、第１のワンウェイクラッチ６８は、出力軸７１が逆方向に回転するので、第４のプーリ６４を逆方向に回転させる。この第４のプーリ６４の回転力は、第２のベルト６６、第２のプーリ６２、本体側ミル軸１４Ａ、容器側ミル軸１４Ｂ、キャップ８１、ミル羽根８２に伝達され、これらの部品が逆方向に回転する。なお、このとき、第３のワンウェイクラッチ１３は、本体側ミル軸１４Ａの回転力により、本体側練り軸１６Ａが逆方向に回転（いわゆる、共回り）することを規制する。
【００６２】
すなわち、インバータモータ７０の出力軸７１が逆方向に回転されたときは、ミル羽根８２が逆方向に回転する一方で、練り羽根８４は回転しないようになっている。
【００６３】
なお、本実施例において、第１のプーリ６１は、第２〜第４のプーリ６２〜６４に比べて大きな直径を有するように構成されている。これにより、インバータモータ７０の出力軸７１の回転速度に対する練り羽根８４の回転速度を低速（例えば、２５０ｒｐｍ）にするとともに、高トルクが得られるようにしている。また、練り羽根８４の回転速度に対するミル羽根８２の回転速度を高速（例えば、４０００ｒｐｍ）にするようにしている。
【００６４】
なお、本実施例において、「ミル軸」は、本体側コネクタ１７Ａと容器側コネクタ１７Ｂとが係合されることにより連結された本体側ミル軸１４Ａと容器側ミル軸１４Ｂとにより構成されている。また、「練り軸」は、係合片１６Ａａと係合片１６Ｂａとが係合されることにより連結された本体側練り軸１６Ａと容器側練り軸１６Ｂとにより構成されている。また、ミル羽根８２の回転中心となるミル軸の中心軸と、練り羽根８４の回転中心となる練り軸の中心軸とは、同一軸上に位置するように設けられている。
【００６５】
また、本実施例において、「駆動力切換部」は、ベアリング１２，６７、第１〜第４のプーリ６１〜６４、第１及び第２のベルト６５，６６、第１〜第３のワンウエイクラッチ６１，１５，１３により構成されている。「駆動力切換部」は、ミル軸及び練り軸へのモータ７０の回転駆動力の伝達経路を切り換えるものである。
【００６６】
次に、図８を用いて、本実施例にかかる自動製パン器１によって実行される米粒用製パンコースの流れの一例を説明する。図８は、本実施例にかかる自動製パン器１によって実行される米粒用製パンコースの流れを示す模式図である。図８に示すように、米粒用製パンコースにおいては、浸水工程と、ミル工程と、冷却工程と、練り（提ね）工程と、発酵工程と、焼成工程とが順次に実行される。
【００６７】
米粒用製パンコースを開始するにあたって、ユーザは、以下の動作を行う。
【００６８】
まず、ユーザは、容器側ミル軸１４Ｂにキャップ８１を取り付けるとともに、セーフティカバー８５の一部を容器側練り軸１６Ｂの内面に嵌合させる。これにより、羽根ユニット８０が、図３に示すように、調理容器４０内にセットされる。
【００６９】
その後、ユーザは、米粒、水、調味料（例えば、食塩、砂糖、ショートニング）等の主材料を調理容器４０内に入れるとともに、パンの製造工程の途中で自動投入するドライイースト、グルテン、ナッツなどの副材料を副材料容器５３，５４に入れる。
【００７０】
その後、ユーザは、調理容器４０を焼成室３０内にセットし、蓋５０により焼成室３０の上面開口部を閉じる。その後、ユーザは、操作部２０によって米粒用製パンコースを選択し、スタートキーを押す。これにより、制御部９０が、米粒を出発原料に用いてパンを製造する米粒用製パンコースの制御動作を開始する。
【００７１】
米粒用製パンコースがスタートされると、制御部９０の指令によって浸水工程が開始される。浸水工程は、米粒に水を含ませることによって、その後に行われるミル工程において、米粒を芯まで粉砕しやすくするための工程である。浸水工程では、調理容器４０に予め投入された主材料の静置状態が所定時間（本実施例では３０分）維持される。
【００７２】
浸水工程の開始から所定時間が経過すると、制御部９０の指令によって浸水工程が終了され、ミル工程が開始される。ミル工程は、調理容器４０内に入れられた米粒を粉砕して製パン原料を製造する工程である。ミル工程において、制御部９０は、インバータモータ７０を制御して出力軸７１を逆方向に回転させ、図７を用いて上述したように、米粒と水とが含まれる混合物の中でミル羽根８２を回転（例えば、４０００ｒｐｍ）させる。これにより、米粒が粉砕される。
【００７３】
粉砕された米粒と水とが含まれる混合物は、ドーム状カバー８３の複数の窓部８３ａを通じてドーム状カバー８３の外側の空間に排出される。これに伴い、調理容器４０の凹部４１内の米粒と水とを含む混合物がセーフティカバー８５に設けられた開口部（図示せず）からドーム状カバー８３の内側の空間に取り込まれる。このようにして、次々に米粒がミル羽根８２によって粉砕され、その結果、ペースト状の粉砕粉を含む製パン原料が製造される。
【００７４】
なお、ミル羽根８２と衝突する米粒の大きさが大きいときは、大きな衝突音が発生する。このため、制御部９０は、ミル工程の開始から所定時間（例えば、５分間）は、ミル羽根８２を低速回転させ、その後、ミル羽根８２を高速回転させるようにインバータモータ７０を制御することが好ましい。これにより、ミル工程における大きな衝突音の発生を抑えることができる。
【００７５】
ミル工程の開始から所定時間（本実施例では７０分）経過すると、制御部９０の指令によってミル工程が終了され、冷却工程が開始される。冷却工程は、ミル工程によって上昇した調理容器４０内の製パン原料の温度を、ドライイーストが活発に働く温度（例えば、３０℃前後）まで下げる工程である。冷却工程において、制御部９０は、インバータモータ７０の駆動を停止させる。
【００７６】
冷却工程の開始から所定時間（本実施例では３２分）経過すると、制御部９０の指令によって冷却工程が終了され、練り工程が開始される。練り工程は、製パン原料にドライイースト、グルテン、ナッツなどの副材料を投入し、これらを混練して、パン生地を製造する工程である。練り工程において、制御部９０は、開閉板５３ａ，５４ａを開放して調理容器４０内に副材料を投入するとともに、インバータモータ７０を制御して出力軸７１を正方向に回転させ、図６を用いて上述したように、製パン原料と副材料とが含まれる混合物の中で練り羽根８４を低速回転（例えば、２５０ｒｐｍ）させる。これにより、製パン原料と副材料とが含まれる混合物が混練され、所定の弾力を有するパン生地が製造される。
【００７７】
なお、練り工程の間、練り羽根８４を同じ速度で継続して回転させると、特に製パン原料と副材料とが含まれる混合物の混練が進んでいない練り工程の初期において、製パン原料や副材料が調理容器４０の外側に飛び散るおそれがある。このため、制御部９０は、図９に示すように、練り工程が進むに連れて練り羽根８４の回転数が徐々に増加するようにインバータモータ７０を制御することが好ましい。これにより、練り工程において、製パン原料や副材料が調理容器４０の外側に飛び散ることを抑えることができる。
【００７８】
練り工程の開始から所定時間（本実施例では２３分）経過すると、制御部９０の指令によって練り工程が終了され、発酵工程が開始される。発酵工程は、パン生地を発酵させる工程である。発酵工程において、制御部９０は、シーズヒータ３１を制御して、焼成室３０の温度を、発酵が進む温度（例えば、３８℃）に維持する。
【００７９】
発酵工程の開始から所定時間（本実施例では７５分）経過すると、制御部９０の指令によって発酵工程が終了され、焼成工程が開始される。焼成工程は、発酵したパン生地を焼成してパンを焼き上げる工程である。焼成工程において、制御部９０は、シーズヒータ３１を制御して、焼成室３０の温度を、パン焼きを行うのに適した温度（例えば、１２５℃）まで上昇させる。
【００８０】
焼成工程の開始から所定時間（本実施例では４０分）経過すると、制御部９０の指令によって焼成工程が終了される。これにより、全ての製パン工程が終了する。全ての製パン工程が終了したことは、例えば、操作部２０の液晶パネルの表示や報知音などにより、ユーザに知らされる。
【００８１】
以下、本実施例装置のファンおよびダクトの構成について説明する。
【００８２】
図１０は図１の自動製パン器のダクトに関連する部分の構成を示す部分断面図である。また、図１１は図１０に示す自動製パン機から第１の外側ダクト１０１を取り除いた図である。また、図１２は図１１に示す自動製パン機から第１の内側ダクト１０２を取り除いた図である。
【００８３】
第１のダクト１００は第１の外側ダクト１０１と第１の内側ダクト１０２のそれぞれのフランジ部分で合わせることで空気の経路を形成しており、焼成室３０から下方へと空気が通るように設けられている。
【００８４】
第１の内側ダクト１０２の上方部分には、焼成室３０内の空間と連通するように１つ以上の孔から構成される第１の通気孔１０２ａが設けられ、下方部分にファン１０６に通じる穴が設けてある。
【００８５】
第２のダクト１０３は第２の外側ダクト１０４と第２の内側ダクト１０５から構成され、第２のダクト１０３の中にファン１０６を設けている。このファン１０６と第２のダクト１０３は焼成室３０の下側に設けられ、アングル１０７に固定されている。
【００８６】
図１３は図１の自動製パン器の背面図である。
【００８７】
１つ以上の孔から構成された第２の通気孔１０８は本体外郭に設けられており、第２のダクト１０３の外郭側の口と対向する位置に設けられている。
【００８８】
ファン１０６はミル工程、冷却工程、練り工程で、制御部９０の指令によって動作する。
【００８９】
ファン１０６はシロッコファンであり、第１のダクト１００側から吸気し、第２のダクト１０３側へ排気する。
【００９０】
ファン１０６が動作すると、焼成室３０内に蒸気口１０９から外気（焼成室３０内より冷たい空気）が流入し、焼成室内の空気（摩擦熱によって温められた空気）が第１の通気孔１０２ａから第１のダクト１００を通り、ファン１０６を介して第２のダクト１０３へ送り込まれ、第２の通気孔１０８から本体の外へ排出される。この空気の流れによって、焼成室３０内は冷却される。
【００９１】
尚、焼成工程では、焼成室の底壁３０ａは、焼成室上方より温度が低いため、ファン１０６を焼成室に近い位置に設けることができる。従って、第２のダクト１０３、ファン１０６は焼成室より本体内側に収まる構造となり、本体の小型化が実現できる。
【００９２】
又、第２の通気孔１０８の位置は本体背面である必要は無く、本体側面や本体底面であってもかまわない。また、本実施例に比べて焼成室内の冷却効率は低下するが、本体の中へ排気することでも焼成室の温度低下が実現できるため、第２の通気孔１０８を設けない構成としても良い。
【００９３】
又、第２のダクト１０３は第２の通気孔１０８と対向する位置に設けるため、第２の通気孔１０８の位置によって形状は自在にすることができる。すなわち、第２のダクト１０３の位置は焼成室３０の下側でない場合もあり、第２の通気孔１０８が設けられていなければ、第２のダクト１０３も設けなくてもよい。
【００９４】
又、ファン１０６の位置は、焼成室の下側でなく、焼成室より低い位置でも良い。例えば、第１の外側ダクト１０１にファンに通じる口を設ければ、第１の外側ダクトの外側に備えることができる。また、焼成室の下方前方でも本体の小型化が実現できる。ファン１０６の種類は自在であり、軸流ファン、シロッコファンのいずれでも良い。
【００９５】
又、第１の通気孔１０２ａを吸気側、第２の通気孔１０８を排気側としたが、ファンの特性によって逆の場合もある。すなわち、第２の通気孔１０８から外気を取り入れ、ファンを介して第１の通気孔１０２ａから焼成室に排気しても良い。
【産業上の利用可能性】
【００９６】
本発明にかかる自動製パン器は、装置の小型化を実現できるので、特に一般家庭で使用される自動製パン器として有用である。
【符号の説明】
【００９７】
１    自動製パン器
１０    機器本体
１０Ａ  ヒンジ部
１１    調理容器支持部
１２    ベアリング
１３    第３のワンウェイクラッチ
１４Ａ  本体側ミル軸
１４Ｂ  容器側ミル軸
１５    第２のワンウェイクラッチ
１６Ａ  本体側練り軸
１６Ａａ  係合片
１６Ｂ  容器側練り軸
１６Ｂａ  係合片
１７Ａ  本体側コネクタ
１７Ｂ  容器側コネクタ
１８    軸受け
２０    操作部
３０    焼成室
３０ａ  底壁
３１    シーズヒータ（加熱部）
３２    温度センサ
４０    調理容器
４１    凹部
４２    台座
５０    蓋
５１    蓋本体
５２    外蓋
５３，５４    副材料容器
５３ａ，５４ａ    開閉板
６１    第１のプーリ
６２    第２のプーリ
６３    第３のプーリ
６４    第４のプーリ
６５    第１のベルト
６６    第２のベルト
６７    ベアリング
６８    第１のワンウェイクラッチ
７０    インバータモータ
７１    出力軸
８０    羽根ユニット
８１    キャップ
８２    ミル羽根
８３    ドーム状カバー
８３ａ  窓部
８４    練り羽根
８５    セーフティカバー
９０    制御部
１００  第１のダクト
１０１  第１の外側ダクト
１０２  第１の内側ダクト
１０２ａ  第１の通気孔
１０３  第２のダクト
１０４  第２の外側ダクト
１０５  第２の内側ダクト
１０６  ファン
１０７  アングル
１０８  第２の通気孔
１０９  蒸気口
【図１】
2014083219.tif 000003
【図２】
2014083219.tif 000004
【図３】
2014083219.tif 000005
【図４】
2014083219.tif 000006
【図５】
2014083219.tif 000007
【図６】
2014083219.tif 000008
【図７】
2014083219.tif 000009
【図８】
2014083219.tif 000010
【図９】
2014083219.tif 000011
【図１０】
2014083219.tif 000012
【図１１】
2014083219.tif 000013
【図１２】
2014083219.tif 000014
【図１３】
2014083219.tif 000015
【図１４】
2014083219.tif 000016